(57)【要約】      （修正有）【課題】モータ本体とドライバとが離れて配置されている場合でも、モータ本体の運転状態を把握する認識機能を有するモータ機構を提供する。【解決手段】モータ本体３３を覆うケーシング機構３、モータ本体３３、第１の発光装置４及びモータ本体の運転状態を検知する異常検出回路５１を具えたドライバ５からなり、第１の発光装置４は、モータ本体３３の一方の側部に固定されてケーシング機構３の透明な透光ケーシングコンポーネントに覆われ、ドライバ５の異常検出回路５１に接続されて、モータの異常が検知されるとLEDにより発光表示する。ドライバに設置される第２の発光装置と別個にモータ本体側に第１の発光装置を備えることにより、モータ本体の故障に迅速な対応可能となる。【選択図】図２
0003179282.tif 000002
【実用新案登録請求の範囲】
【請求項１】
ケーシング機構とモータ本体と異常検出回路を有するドライバと発光装置とを具え、
上記モータ本体は、上記ケーシング機構内に設けられると共にその側部に上記発光装置を固定して該ケーシング機構により覆い、
上記ドライバの異常検出回路は、モータ本体と電気的に接続されてその運転状態を検出すると共に、上記記発光装置に接続して該運転状態を表示することを特徴とする認識機能を有するモータ機構。
【請求項２】
前記ケーシング機構は、モータ本体を覆う主ケーシング及び発光装置を覆う透光ケーシングコンポーネントを有し、前記主ケーシングと前記透光ケーシングコンポーネントとは、互いに結合固定され、前記透光ケーシングコンポーネントは、透光ケーシング及び保護ケーシングを有し、前記保護ケーシングは、前記透光ケーシングを覆い、前記保護ケーシングは、透明材料からなり、
前記発光装置は、回路基板及び複数のＬＥＤを有し、該ＬＥＤは、前記回路基板上に配置されて、前記各ＬＥＤの色は、モータの運転状態に応じて色分けされていることを特徴とする請求項１に記載の認識機能を有するモータ機構。
【請求項３】
第２の発光装置をさらに備え、前記第２の発光装置は、前記ドライバ内に配置されると共に前記異常検出回路と電気的に接続されることを特徴とする請求項１又は２に記載の認識機能を有するモータ機構。
【考案の詳細な説明】
【技術分野】
【０００１】
本考案は、識別機能を有するモータ機構に関し、特に、モータ本体の一方の側部に第１の発光装置が固定されることにより、モータに異常が発生した場合、操作者が即座に異常を発見して処置を行うことができ、これにより、製品の実用性及び利便性を高めることができる識別機能を有するモータ機構に関する。
【背景技術】
【０００２】
図１を参照する。図１に示すように、一般に、モータ１には、ドライバ２が組み合わされて使用される。一般に、ドライバ２は、モータ１の回転方向、回転速度及び回転方式（可変周波数、定周波数など）を制御するために用いられる。また、ドライバ２内には、異常検出回路２１及び発光装置２２が設けられる。異常検出回路２１は、発光装置２２及びモータ１と電気的に接続される。これにより、異常検出回路２１は、モータ１の作動状態が正常であるか否かを検出して、発光装置を介して警告することができる。異常検出回路２１の細部構造は、当業者が熟知する従来の構造であるため、ここでは詳しく述べない。以上の構造により、モータ１に異常が発生した場合（例えば、過電圧が発生したり、回転速度が異常な状態になったりした場合）、ドライバ２の異常検出回路２１が異常を検出し、発光装置２２に制御信号を送信する。この際、発光装置２２が発光し、操作者に異常を警告することができる。モータ１の異常を知った操作者は、故障を修理したり、障害を除去したりして異常を解決する。即ち、モータ１は、ドライバ２を介し、操作者に異常を警告することができる。
【０００３】
上述のように、従来のモータ１は、ドライバ２を介し、操作者に異常を警告することができる。しかし、発光装置２２がドライバ２上に配置されているため、モータ１とドライバ２とが離れた位置に配置されている場合、操作者は、モータ１付近で作業している場合は、ドライバ２の発光装置２２の状態を即座に確認することができない。即ち、操作者は、モータ１に異常が発生しても、即座に異常を知り、処置することができない。即ち、従来のモータ１は、異常を迅速に解決することが困難であるため、実用性及び利便性に劣り、解決が求められていた。
【０００４】
本考案の考案者は、従来のモータの操作者がモータの運転状況を即座に把握し、異常を即座に除去するのが困難であるという欠点を解決するために、研究開発を行った。
【先行技術文献】
【特許文献】
【０００５】
【特許文献１】特開平７−１２３５８３号公報
【考案の概要】
【考案が解決しようとする課題】
【０００６】
本考案の目的は、モータ本体の一方の側部に第１の発光装置が固定されることにより、モータ本体とドライバとが建物の異なる空間に配置されたり、モータ本体とドライバとの間に所定の距離を有する場合でも、モータ本体に異常が発生した場合、操作者が異常を即座に発見して処置を行い、故障を迅速に解消することができ、これにより、製品の実用性及び利便性を高めることができる認識機能を有するモータ機構を提供することにある。
【課題を解決するための手段】
【０００７】
上述の課題を解決するために、本考案の認識機能を有するモータ機構は、ケーシング機構、モータ本体、第１の発光装置及びドライバを具え、モータ本体は、ケーシング機構内に配置される。第１の発光装置は、モータ本体の一方の側部に固定されると共に、ケーシング機構に覆われる。ドライバは、モータ本体と電気的に接続され、内部にモータ本体及び第１の発光装置と電気的に接続される異常検出回路を具える。
【考案の効果】
【０００８】
モータ本体の一方の側部に第１の発光装置が固定されることにより、モータ本体とドライバとが建物の異なる空間に配置されたり、モータ本体とドライバとの間に所定の距離を有する場合でも、モータ本体に異常が発生した場合、操作者が異常を即座に発見して処置を行い、異常を即座に除去することができる。これにより、製品の実用性及び利便性を高めることができる。
【図面の簡単な説明】
【０００９】
【図１】従来のモータ機構を示すブロック図である。
【図２】本考案の一実施形態によるモータ機構を示すブロック図である。
【図３】本考案の一実施形態によるモータ機構を示す分解斜視図である。
【図４】本考案の一実施形態によるモータ機構を示す斜視図である。
【図５】本考案の一実施形態によるモータ機構の使用状態示す模式図である。
【考案を実施するための形態】
【００１０】
本考案の目的、特徴、長所及び効果を明確にするために、本考案の一実施形態を図面に沿って詳細に説明する。
【００１１】
図２を参照する。図２に示すように、本考案は認識機能を有するモータ機構を提供するものである。本考案の一実施形態による認識機能を有するモータ機構は、ケーシング機構３、モータ本体３３、第１の発光装置４及びドライバ５を含む。
【００１２】
図３を参照する。図３に示すように、本考案の一実施形態中、ケーシング機構３は、主ケーシング３１及び透光ケーシングコンポーネント３２を具える。主ケーシング３１と透光ケーシングコンポーネント３２とは、互いに結合固定される。また、透光ケーシングコンポーネント３２は、透光ケーシング３２１及び保護ケーシング３２２から構成される。図３及び図４に示すように、保護ケーシング３２２は、透光ケーシング３２１を覆う。保護ケーシング３２２は、透明材料からなる。
【００１３】
図３に示すように、モータ本体３３は、ケーシング機構３の主ケーシング３１内に配置される。モータ本体３３の細部構造は、従来技術に属し、本考案の技術特徴ではないため、ここでは詳しく述べない。
【００１４】
図３に示すように、本実施形態中、第１の発光装置４は、モータ本体３３の一方の側部に固定される。また、第１の発光装置４は、ケーシング機構３の透光ケーシングコンポーネント３２に覆われる。第１の発光装置４は、回路基板４１及び複数のＬＥＤ４２を具える。ＬＥＤ４２は、回路基板４１上に配置される。複数のＬＥＤ４２の色は、それぞれ異なる。
【００１５】
図２に示すように、ドライバ５は、モータ本体３３と電気的に接続され、内部に異常検出回路５１及び第２の発光装置５２を具える。  異常検出回路５１は、モータ本体３３、第１の発光装置４及び第２の発光装置５２と電気的に接続される。異常検出回路５１の細部構造は、従来技術であり、本考案の技術特徴ではないため、ここでは詳しく述べない。
【００１６】
図２及び図３に示すように、第１の発光装置４がモータ本体３３の一方の側部に設けられると共にドライバ５の異常検出回路５１が第１の発光装置４と電気的に接続されることにより、モータ本体３３が正常に運転している場合は、ドライバ５の異常検出回路５１は、第１の発光装置４に正常運転状態に対応する制御信号を発信する。即ち、異常検出回路５１は、第１の発光装置４の正常運転状態を表す所定の色（例えば緑色）のＬＥＤ４２を作動して発光させる。また、モータ本体３３に異常が発生した場合、ドライバ５の異常検出回路５１は、異常を検出すると共に、第１の発光装置４に異常運転状態に対応する他の制御信号を送信する。即ち、異常検出回路５１は、第１の発光装置４の異常運転状態を表示する他の所定の色（例えば赤色）のＬＥＤ４２を作動して発光させる。
図５を合わせて参照するように、操作者７は、モータ本体３３の異常を知ることができるため、モータ本体３３の修理及び故障の除去を即座に行うことができる。以上の構造により、本考案は、モータの異常を警告するという目的を実現することができる。
【００１７】
図３及び図５を参照する。図３及び図５に示すように、モータ本体３３の一方の側部に第１の発光装置４が固定されることにより、モータ本体３３とドライバ５とが建物６の異なる空間に配置されたり、モータ本体３３とドライバ５との間に所定の距離を有する場合でも、モータ本体３３に異常が発生した場合、モータ本体３３付近にいる操作者７は、異常を即座に発見して処置を行い、迅速に故障に対処することができる。これにより、製品の実用性及び利便性を高めることができる。また、第１の発光装置４の各ＬＥＤ４２の色がそれぞれ異なるため、異常検出回路５１は、異常に応じて異なる色のＬＥＤ４２を作動させて発光させることにより、操作者７に如何なる異常かを明確に知らせることができ、修理の速度を高めることができる。即ち、本考案は、好適に異常を警告する機能を有する。また、図３に示すように、透光ケーシングコンポーネント３２は、透光ケーシング３２１を具える、第１の発光装置４のＬＥＤ４２から放出される光線は、透光ケーシング３２１によって拡散されて外部に放出される。即ち、ＬＥＤ４２の光線は、外部に直接放出されないため、操作者の眼が刺激を受ける虞がない。即ち、本考案は、好適に警告を行う機能を兼ね備える。
【００１８】
本考案の進歩性及び実用性を明確にするため、従来技術との比較を以下に示す。
【００１９】
従来技術の欠点を以下（１）及び（２）に示す。
（１）ドライバのみに発光装置が設けられるため、操作者がモータの運転状態を即座に把握するのに不便であり、故障に対処する最適なタイミングを逃す虞がある。
（２）製品の実用性及び利便性に劣る。
【００２０】
本考案の長所を以下（１）及び（２）に示す。
（１）モータにも発光装置が設けられるため、操作者がモータの運転状態を即座に把握することができ、故障を即座に除去するのに都合がよい。
（２）製品の実用性及び利便性を高めることができる。
【符号の説明】
【００２１】
１  モータ
２  ドライバ
２１  異常検出回路
２２  発光装置
３  ケーシング機構
３１  主ケーシング
３２  透光ケーシングコンポーネント
３２１  透光ケーシング
３２２  保護ケーシング
３３  モータ本体
４  第１の発光装置
４１  回路基板
４２  ＬＥＤ
５  ドライバ
５１  異常検出回路
５２  第２の発光装置
６  建物
７  操作者
【図１】
0003179282.tif 000003
【図２】
0003179282.tif 000004
【図３】
0003179282.tif 000005
【図４】
0003179282.tif 000006
【図５】
0003179282.tif 000007